(57)【特許請求の範囲】
【請求項１】
少なくとも一つのアクセスコードがファイルされた可搬式通信装置（２０）と、そしてアクセスコードを受信する受信装置（１０）とにより、人が出入りできる区域、特に扉（１）によって閉ざされた空間への出入りを規制する方法であって、同方法は、以下のステップすなわち、
ａ）所定の範囲（Ｒ）内で通信装置（２０）によって活性化信号を送信することと、
ｂ）受信装置（１０）が活性化信号の範囲（Ｒ）内に位置し、且つ活性化信号を受信するときに、受信装置（１０）を活性化することと、
ｃ）通信装置（２０）から受信装置（１０）へアクセスコードを送信することとを含み、アクセスコードは、活性化信号の送信後に、活性化信号とは別の信号で送信され、前記方法は更に、
ｄ）受信装置（１０）によってアクセスコードをチェックすることと、
ｅ）チェックに合格すれば出入りを自由にすることと、
を含む、方法。
【請求項２】
活性化信号がスイッチの作動によって送信されることを特徴とする、請求項１に記載の方法。
【請求項３】
出入りを自由とした後に受信装置（１０）が不活性化されることを特徴とする、請求項１または２に記載の方法。
【請求項４】
通信装置（２０）が範囲（Ｒ）の中に位置するときに限りアクセスコードが送信されることを特徴とする、請求項１から３のいずれか一項に記載の方法。
【請求項５】
アクセスコードが所定の期間内に限り送信されることを特徴とする、請求項１から４のいずれか一項に記載の方法。
【請求項６】
出入りが所定の期間内に限り自由とされることを特徴とする、請求項１から５のいずれか一項に記載の方法。
【請求項７】
出入りが自由にされたのちに所定の時間を経た後に、アクセスコードが阻止されることを特徴とする、請求項１から６のいずれか一項に記載の方法。
【請求項８】
コンピュータ装置（５０）がアクセスコードを生成し、且つこれを通信装置（２０）へ伝達することを特徴とする、請求項１から７のいずれか一項に記載の方法。
【請求項９】
アクセスコードが、コンピュータ装置（５０）によって、または通信装置（２０）によって変更され得る、少なくとも一つの属性を有することを特徴とする、請求項１から８のいずれか一項に記載の方法。
【請求項１０】
通信装置（２０）として携帯電話またはＰＤＡ（パーソナルデジタルアシスタント）が使用されることを特徴とする、請求項１から９のいずれか一項に記載の方法。
【請求項１１】
区域への出入りを規制するシステムであって、
受信部（４０）と、
受信部（４０）に結合される受信装置（１０）とを有し、受信部（４０）は、通信装置（２０）から活性化信号を受信して、受信装置（１０）を活性化するように構成され、受信装置（１０）は、通信装置（２０）からアクセスコードを受信して、アクセスコードのチェック後に区域への出入りを許可するように構成され、アクセスコードは、活性化信号の送信後に、活性化信号とは別の信号で送信される、システム。
【発明の詳細な説明】
【技術分野】
【０００１】
本発明は、人が出入りできる区域、特に扉によって閉ざされた空間への出入りを規制する方法に関する。この方法を遂行するため、少なくとも一つのアクセスコードがファイルされた可搬式通信装置と、アクセスコードを受信するための受信装置とが提供される。アクセスコードは通信装置から受信装置へ送信される。これを受けて受信装置はアクセスコードをチェックし、チェックに合格すれば出入りを自由にする。
【背景技術】
【０００２】
現代の出入規制システムでは、人の識別のため無接触で作動するＲＦＩＤ（無線周波数識別）システムがしばしば利用される。その種のＲＦＩＤシステムはトランスポンダと可搬または静止ＲＦＩＤリーダーとを備える。ＲＦＩＤリーダーが無線信号を送信し、マイクロチップとアンテナとから実質的に構成されるトランスポンダが近傍に、すなわち数センチメートルから数メートルの間隔をおいて配置される場合、トランスポンダは、そこに蓄積されたデータ、例えばアクセスコードを読み取りステーションへ応答し伝達する。エレベータ設備の目的地コール端末にはその種のＲＦＩＤシステムがしばしば使用される。ただし、その場合にはＲＦＩＤシステムがトランスポンダと連絡を確立するため常に電磁場を放射しなければならず、よって比較的多量の電気エネルギーを消費するという欠点がある。
【０００３】
階で発行されたコールを認識する認識システムを備えるエレベータ設備は、欧州特許第０６９９６１７号明細書から知られている。このコールは制御装置へ供給され、同制御装置は割り当てアルゴリズムによってエレベータを決定し、このエレベータをユーザに通知する。それぞれの階のエレベータに至る出入領域の定常位置に各々配置され、且つ目的地コール端末とも呼ばれる認識装置は、常に電磁場を放射する。ユーザによって携行される情報送信機が電磁場の中に入ると、直ちに情報送信機は電磁場のため呼び起こされ、そこに蓄積されたデータ、例えば識別コード等を、認識装置へ送信する。
【０００４】
ただし、前述したエレベータ設備においては、個々の階に位置する認識装置が情報送信機との連絡確立を可能にするため、常に電磁場を放射するという不利が生じる。
【特許文献１】欧州特許第０６９９６１７号明細書
【発明の開示】
【発明が解決しようとする課題】
【０００５】
本発明は、人が出入りできる領域への出入りを規制する方法を、これに要するエネルギー消費量が従来の方法に比べてより少なくなるよう開発するとの目的に根ざしている。
【課題を解決するための手段】
【０００６】
本発明によると、人が出入りできる領域への、特に扉によって閉ざされた空間への出入りを規制する方法の場合に、この課題を達成するため同方法は請求項１に従い、以下のステップすなわち、
ａ）所定の範囲内で通信装置によって活性化信号を送信することと、
ｂ）受信装置が活性化信号の範囲内に位置し、且つ活性化信号を受信するときに、受信装置を活性化することと、
ｃ）通信装置から受信装置へアクセスコードを送信することと、
ｄ）受信装置によってアクセスコードをチェックすることと、
ｅ）チェックに合格すれば出入りを自由にすること、
を含むと規定される。
【０００７】
この上、上述した目的の達成のため、請求項２に従い、以下のステップすなわち、
ａ）所定の範囲内で受信装置によって活性化信号を送信することと、
ｂ）通信装置が活性化信号の範囲内に位置し、且つ活性化信号を受信するときに、受信装置を活性化することと、
ｃ）通信装置から受信装置へアクセスコードを送信することと、
ｄ）受信装置によってアクセスコードをチェックすることと、
ｅ）チェックに合格すれば場合に出入りを自由にすること、
を含む方法が提案される。
【０００８】
本発明による方法の前述した二通りの実施形態は、受信装置が一時的に不活性状態から活性状態へ、およびその逆に遷移できるなら、エネルギー節約を事実上達成できるとの認識に基づいている。
【０００９】
本発明による方法の二つの変形は、受信装置の電流供給が従来の方法に比べて大幅に減ることを可能にする。その理由は主に、閉ざされた領域の出入規制の頻度次第でエネルギー供給が制御されるという事実に基づいている。このようにして、人が出入りできる領域、特に建物やこの建物の中の部屋が長期間にわたって使用されず、それ故受信装置が長期間にわたってその不活性状態を保つ場合に電力要求の低減が達成される。
【００１０】
しかも、方法の遂行にあたって従来の携帯電話を使用できるから、ユーザは自身の携帯電話だけでなく、さらなる通信装置の携行を強いられないことが有利とわかっている。
【００１１】
エレベータおよび建物、事業所、住居、および個々の部屋の出入規制のために好ましくは使用される本発明によって、人が出入りできるその種の領域において方法が提供される。アクセスコードのほかに、さらなるデータを含むことができるコードシーケンスの形をとるデータの送信には、好ましくは装置間無線電波式通信が使われる。用語「装置」は本発明の意味において、通信装置および受信装置の総称的表現と理解されたい。
【００１２】
通信ネットワークとして好ましくは近接場通信システムが提供される。これは、それぞれの装置間の通信が近接場内でのみ可能であることを意味する。この接続においては、好適な通信規格としてＢｌｕｅｔｏｏｔｈまたはＮＦＣ規格が使用される。このようにして起こり得るアクセスコードに対するスパイ行為とともに、通信ネットワークへの不正アクセスが起こらないことを保証できる。
【００１３】
本発明による方法の有利な展開は、請求項３から１１にかけて記載されている。
【００１４】
有利な展開においては、活性化信号がスイッチの活性化によって送信されると規定する。この措置により活性化信号の送信に必要なエネルギーがスイッチ作動後にのみ要求されるため、電力供給のさらなる低減が可能となる。一方でスイッチは受信装置の領域内、例えば扉の領域内に設けることができ、よって必要とあらばユーザによって作動させることができる。
【００１５】
スイッチの作動については、例えば圧力感知式または温度感知式のセンサーを活性化させれば十分であり、これによりスイッチが作動する。他方、スイッチは可搬式通信装置に、例えば携帯電話に連携させることができ、ボタンを押すことにより、または音声コマンドにより作動させることができる。
【００１６】
本発明による方法の一展開においては、出入りを自由にした後に受信装置が不活性化されると提案する。これは電力供給低減を実現し、出入りの少ない領域に特に適している。
【００１７】
方法の有利な展開においては、通信装置が範囲内に位置するときに限りアクセスコードが送信されると規定する。範囲は好ましくは５メートルに満たなく、便宜上は１メートルに満たない。よって、例えば通信装置から受信装置にかけて、二つの装置が互いに近くに、例えば数センチメートルの間隔をおいて保持されるときに限りアクセスコードを送信することができる。その種の無線電波式データ伝送には従来のインターフェイス、例えば赤外線インターフェイスを使用でき、特に伝送規格としてＢｌｕｅｔｏｏｔｈ規格を使用できる。
【００１８】
もしもアクセスコードが所定の期間内に限り送信されるなら、さらに有利である。これによりアクセスコードの送信プロセスを終了させることをユーザに強いること、そして場合によって権限を持たない人物に出入りを許してしまうことが回避される。さらに、この接続において、もしも出入りが一定の期間内に限り解除されるなら有利であることがわかっている。よって、例えば一分後に出入りを封鎖することにより、場合によって後ろに追随する権限を持たない人物に出入りの可能性を与えないようすることができる。
【００１９】
図面を参照しながら下記にて本発明をさらに説明する。
【発明を実施するための最良の形態】
【００２０】
図１および図２は、扉１によって閉ざされた空間のための出入規制システムを概略的に示す。扉１は電子ドアロック２と受信装置１０とを装備し、同受信装置１０は記憶装置１１とインターフェイス１２とを備える。出入規制システムは、さらに中央コンピュータ装置５０と携帯電話の形をとる可搬式通信装置とを備え、同可搬式通信装置は記憶装置２１とインターフェイス２２とディスプレイ２３とキーボード２４とを備える。ドアロック２の解除のためには、中央コンピュータ装置５０によって生成され、無線または有線で携帯電話２０へ送信され、その記憶装置２１にファイルされるアクセスコードの形をとる電子キーが必要である。
【００２１】
扉１への出入りを規制するため方法の第１の形態を遂行するため、出入規制システムは携帯電話２０と連携するＲＦＩＤ送信部３０と、受信装置１０と提携するＲＦＩＤ受信部４０とを備える。ＲＦＩＤ送信部３０は、所定の時に所定の範囲Ｒの中で活性化信号を送信する。この場合の範囲幅Ｒは最大約１メートルである。ＲＦＩＤ受信部４０は活性化信号の受信のため装備される。これはユーザが建物の中で通信装置２０を携行し扉１の領域内に位置する場合に、携帯電話２０が、すなわちユーザが扉１の受信装置１０から一メートル未満の距離を隔てて位置するときに、ＲＦＩＤ送信部３０によって送信される活性化信号がＲＦＩＤ受信部４０によって受信されることを意味する。ＲＦＩＤ受信部４０が所定の期間にわたって中断なく活性化信号を受信した場合には、受信装置１０活性化のための制御信号が送信される。この制御信号には、ドアロック２の電力供給をオンに切り替える作用がある。これを実現するため受信装置１０には追加の回路が設けられる。次のステップとして携帯電話２０は、記憶装置２１にファイルされたアクセスコードを、そのインターフェイス２２を通じて無線データ通信により受信装置１０へＢｌｕｅｔｏｏｔｈ規格を用いて送信する。受信装置１０はそのインターフェイス１２を通じてアクセスコードを受信し、記憶装置１１にファイルされた本来のアクセスコードとこれを比較する。本来のアクセスコードが受信したアクセスコードに一致する場合には、すなわち、チェックに合格した後には、開放のため受信装置１０がドアロック２へ制御信号を送信し、これにより扉１への出入りが自由とされる。
【００２２】
図２に示す出入規制システムは方法の第２の形態を遂行する働きをし、ＲＦＩＤ送信部３０が受信装置１０と連携し、ＲＦＩＤ受信部４０が通信装置２０と連携する点が、図１による出入規制システムと異なる。この連携のおかげで、受信装置１０は所定の範囲Ｒの中で活性化信号を送信する。相応に、ユーザによって携行される携帯電話２０はＲＦＩＤ受信部４０によって活性化信号を受信するよう装備される。この受信もまた、携帯電話２０が、すなわちユーザが範囲Ｒ、すなわちドアロック２から一メートル未満の間隔をおいて位置するときに限り可能である。ＲＦＩＤ受信部４０が少なくとも所定の期間にわたって活性化信号を受信すると直ちに、電力供給をオンに切り替えることによって受信装置１０が活性化される。出入りを自由にするために要求される残りの方法ステップは、方法の第１の変形に関係し既に上で説明した方法ステップに一致する。
【００２３】
最上のセキュリティ要求をも考慮に入れるため、前述した方法の変形の両方で、携帯電話２０から受信装置１０へのアクセスコード送信に先駆け、携帯電話２０によってＰＩＮコード照会が行われると規定できる。
【００２４】
説明した方法は主に受信装置１０と、特にその電力供給ならびにドアロック２の施錠機構の電力供給が、携帯電話２０または受信装置１０によって送信された活性化信号の受信後に限り行われるという事実によって特徴づけられる。その場合に、特にＰＩＮコード照会に合格した後に限り携帯電話２０を使用できること、そしてアクセスコードの送信が活性化信号の送信と同様に、特定の範囲Ｒの中でのみ可能であるという事実によって十分なセキュリティが保証される。
【図面の簡単な説明】
【００２５】
【図１】本発明による方法の第１の形態を遂行するための出入規制システムを概略的に示す図である。
【図２】本発明による方法の第２の形態を遂行するための出入規制システムを概略的に示す図である。
【符号の説明】
【００２６】
１  扉
２  電子ドアロック
１０  受信装置
１１、２１  記憶装置
１２、２２  インターフェイス
２０  携帯電話
２３  ディスプレイ
２４  キーボード
３０、４０  ＲＦＩＤ送信部
５０  中央コンピュータ装置
【図１】
0005436748.tif 000002
【図２】
0005436748.tif 000003